(57)【特許請求の範囲】
【請求項１】
キー操作部と受話部と送話部を有した筐体と、前記筐体のキー操作部を覆うスライドカバーとを備え、前記スライドカバーには、スライドカバーを閉口して閉口ロック状態にしたときに前記筐体の送話部の音孔と連通する孔を設けておくとともに、前記スライドカバーを開口して開口ロック状態にしたときには前記送話部の音孔が前記スライドカバーの外に露出するように構成し、前記スライドカバーの端面部に傾斜部を設け、前記傾斜部を前記スライドカバーを閉口ロック状態から開口するために引っ掛ける指の当接部または集音用の傾斜部として用いることを特徴とする携帯電話装置。
【請求項２】
キー操作部と受話部と送話部を有した筐体と、前記筐体のキー操作部を覆うスライドカバーとを備え、前記スライドカバーには、スライドカバーを閉口して閉口ロック状態にしたときに前記筐体の送話部の音孔と連通する孔を設けておくとともに、前記スライドカバーを開口して開口ロック状態にしたときには前記送話部の音孔が前記スライドカバーの外に露出するように構成し、前記スライドカバーを開口して開口ロック状態にしたときには、露出した送話部の音孔の近傍に前記スライドカバーの端面が位置するよう構成して、前記スライドカバーの端面を集音壁として用い、前記筐体の送話部の音孔の周りにリブを設け、前記リブの上面を、前記スライドカバーを開口して開口ロック状態にしたときに前記スライドカバーの端面部の底面と接するよう構成したことを特徴とする携帯電話装置。
【請求項３】
前記筐体の送話部の音孔の周りに設けたリブの高さを、前記筐体のキー操作部のキーやキーの近傍の突起を含むどの部位の高さよりも高くなるよう構成したことを特徴とする請求項２に記載の携帯電話装置。
【請求項４】
前記スライドカバーを開口して開口ロック状態にさせたとき、前記スライドカバーに何らかの力が掛かって前記スライドカバーの開口ロック状態が外れた場合、前記スライドカバーに掛かる左右方向の応力での移動で前記送話部に設けられた音孔が塞がれないようにする音孔閉塞防止手段を設けたことを特徴とする請求項１乃至請求項３のいずれか１項に記載の携帯電話装置。
【請求項５】
前記音孔閉塞防止手段として、前記筐体の本体ロック部に連接する平坦部と、前記スライドカバーを開口ロック状態にさせた位置で前記スライドカバーのスライド方向への動きを止めるストッパー部とを設け、前記スライドカバーに左右方向の外力が加わったときには、前記ストッパーを回転中心として前記スライドカバーが回転する動作をさせることにより、前記スライドカバーのロック部を前記平坦部に乗り上げさせて外力に対する復元力を付与し、外力がなくなったときには前記復元力により前記スライドカバーのロック部が乗り上げている前記平坦部から前記筐体の本体ロック部に当接する位置に移動して、外力が加わる前の状態に復元するようにして、前記送話部に設けられた音孔が塞がれないよう構成したことを特徴とする請求項４に記載の携帯電話装置。
【発明の詳細な説明】
【０００１】
【発明の属する技術分野】
本発明は、ＰＨＳ（Personal Handyphone System）端末を含む携帯電話装置に関し、特にスライドカバーを閉口した状態と開口した状態の両方で送話できるようにするとともに、スライドカバーの開口時に、不意に掛かる左右の応力で送話部に設けた音孔が塞がらないように構成したものである。
【０００２】
【従来の技術】
従来、携帯電話装置においてスライド開閉するスライドカバーでキー操作部を覆う構造のものが一部で実用化されている。たとえば特開平９−２４７２５２号公報に示されているように、スライドカバーは電話を操作しないときに電話の操作面を覆いまたは保護するために用いられている。そのため電話を使用する際には、スライドカバーを開けることによって発信または着信に対処している。
【０００３】
また、上記公報では、発信および着信の場合には、スライドカバーを開口して、スライドカバーの最下端に設けた送話部を介して通話を行なう構造となっており、スライドカバーを閉じた状態での通話は不可能であった。
【０００４】
【発明の解決しようとする課題】
本発明は、上記従来の問題を解決するもので、携帯電話装置のスライドカバーを閉じた状態でも通話を行なうことができ、またスライドカバーの開口ロック時に、ロック状態が外れる力が掛かってもスライドカバーに働く左右方向の応力で開口ロック状態に戻り、送話部に設けた音孔が塞がれないようにした携帯電話装置を提供することを目的とする。
【０００５】
【課題を解決するための手段】
本発明の請求項１に記載の発明は、キー操作部と受話部と送話部を有した筐体と、前記筐体のキー操作部を覆うスライドカバーとを備え、前記スライドカバーには、スライドカバーを閉口して閉口ロック状態にしたときに前記筐体の送話部の音孔と連通する孔を設けておくとともに、前記スライドカバーを開口して開口ロック状態にしたときには前記送話部の音孔が前記スライドカバーの外に露出するように構成し、前記スライドカバーの端面部に傾斜部を設け、前記傾斜部を前記スライドカバーを閉口ロック状態から開口するために引っ掛ける指の当接部または集音用の傾斜部として用いることを特徴とするものである。この構成により、携帯電話装置のスライドカバーを閉じた状態でも開いた状態でも通話を行なうことができ、また、スライドカバーを簡単に例えば指１本で開口しうるようにすることができ、スライドカバーを開口した状態で話者の声を送話部（マイク）により広く集音することができる。
【０００９】
また、請求項２に記載の発明は、キー操作部と受話部と送話部を有した筐体と、前記筐体のキー操作部を覆うスライドカバーとを備え、前記スライドカバーには、スライドカバーを閉口して閉口ロック状態にしたときに前記筐体の送話部の音孔と連通する孔を設けておくとともに、前記スライドカバーを開口して開口ロック状態にしたときには前記送話部の音孔が前記スライドカバーの外に露出するように構成し、前記スライドカバーを開口して開口ロック状態にしたときには、露出した送話部の音孔の近傍に前記スライドカバーの端面が位置するよう構成して、前記スライドカバーの端面を集音壁として用い、前記筐体の送話部の音孔の周りにリブを設け、前記リブの上面を、前記スライドカバーを開口して開口ロック状態にしたときに前記スライドカバーの端面部の底面と接するよう構成したことを特徴とするものである。この構成により、携帯電話装置のスライドカバーを閉じた状態でも開いた状態でも通話を行なうことができ、また、スライドカバーを開口した状態で話者の声を送話部（マイク）に集音することができる。さらに、受話部から筐体内の空隙を通って漏洩する受話音の廻り込みを防止することができる。
【００１０】
また、請求項３に記載の発明は、請求項２に記載の携帯電話装置において、前記筐体の送話部の音孔の周りに設けたリブの高さを、前記筐体のキー操作部のキーやキーの近傍の突起を含むどの部位の高さよりも高くなるよう構成したことを特徴とするものである。この構成により、スライドカバーのスライド操作でキー操作部のどの部位とも接触しないようにすることができる。
【００１１】
また、請求項４に記載の発明は、請求項１乃至請求項３のいずれか１項に記載の携帯電話装置において、前記スライドカバーを開口して開口ロック状態にさせたとき、前記スライドカバーに何らかの力が掛かって前記スライドカバーの開口ロック状態が外れた場合、前記スライドカバーに掛かる左右方向の応力での移動で前記送話部に設けられた音孔が塞がれないようにする音孔閉塞防止手段を設けたことを特徴とするものである。この構成により、スライドカバーに掛かる左右方向の応力での移動で前記送話部に設けられた音孔が塞がれないようにさせることができる。
【００１２】
また、請求項５に記載の発明は、請求項４に記載の発明において、前記音孔閉塞防止手段として、前記筐体の本体ロック部に連接する平坦部と、前記スライドカバーを開口ロック状態にさせた位置で前記スライドカバーのスライド方向への動きを止めるストッパー部とを設け、前記スライドカバーに左右方向の外力が加わったときには、前記ストッパーを回転中心として前記スライドカバーが回転する動作をさせることにより、前記スライドカバーのロック部を前記平坦部に乗り上げさせて外力に対する復元力を付与し、外力がなくなったときには前記復元力により前記スライドカバーのロック部が乗り上げている前記平坦部から前記筐体の本体ロック部に当接する位置に移動して、外力が加わる前の状態に復元するようにして、前記送話部に設けられた音孔が塞がれないよう構成したことを特徴とするものである。この構成により、スライドカバーに掛かる左右方向の応力での移動で本体ロック部に復元させることができる。
【００１４】
【発明の実施の形態】
以下、本発明の実施の形態について図１から図１０を用いて説明する。
【００１５】
図１は、本発明の実施の形態に係る携帯電話装置の構成を示す平面図及び側面図であり、本体筐体１に対してスライド可能なスライドカバー５を具備している。図１（ａ）は本発明の実施の形態においてスライドカバー５を閉じた正面図、図１（ｂ）は本発明の実施の形態においてスライドカバー５を開いた状態を示す正面図、また、図１（ｃ）は本発明の実施の形態においてスライドカバーを開いた状態を示す側面図である。
【００１６】
また図２（ａ）、図２（ｂ）はそれぞれ指でスライドカバー５を閉口したときの操作状態と、開口したときの操作状態を示した平面図である。
【００１７】
図３（ａ）は本発明の実施の形態に係る携帯電話装置の分解斜視図であり、Ｕ字状切り込み部15のあるスライドカバー５、上ケース11、キーシート12および送話器（マイク）13についてのみ示している。図３（ｂ）はスライドカバー５の裏面図である。
【００１８】
図１〜図３において携帯電話装置の構成を簡単に説明する。本体筐体１にはキー操作部２、受話部３、送話部４（第１の送話音孔４ａ及び第２の送話音孔４ｂを含む）が設けられている。
【００１９】
図３（ａ）に示すように、本体筐体１はスライドカバー５を摺動自在に支持するレール部20と、スライドカバー５に当接させてスライドカバー５の最大摺動範囲を規制するストッパー部21と、スライドカバー５の位置を位置決めする本体筐体側のロック部として、本体上ロック部10と本体下ロック部７を具備している。
【００２０】
また、図３（ｂ）に示すように、スライドカバー５には本体筐体１に設けられているレール部20と係合するレール部30と、ストッパー部としてのストッパ用の突起部31と、本体筐体１に対してスライドカバー５の位置を位置決めするスライドカバー側のロック部32としてのロック用爪32ａが設けてあり、本体筐体１に対してスライドカバー５を図１（ａ）の状態から図１（ｂ）の状態にスライドすることができる。スライドの操作は図２（ａ）、図２（ｂ）のように例えば親指をＵ字型切り込み部15に当てて上下させることにより行なう。
【００２１】
そして、図１（ａ）に示すようにスライドカバー５を閉じた状態では、スライドカバー５のロック用爪32ａが本体筐体１の本体上ロック部10に弾性力によって係合して位置決めされており、スライドカバー５の送話音孔４ｂが送話器13の上に位置している。そして利用者はスライドカバー５を閉じたまま、重なっている送話音孔４ｂと送話音孔４ａを介して送話することができる。
【００２２】
また、図１（ｂ）に示すように、スライドカバー５を開いた状態では、スライドカバー５のロック用爪32ａが本体筐体１の本体下ロック部７に弾性力によって係合して位置決めされており、送話器13の音孔４ａがスライドカバー５の外に露出しているので、利用者は送話音孔４ａから送話することができる。
【００２３】
なお、スライドカバー５を更にスライドさせようとするスライド方向の外力が加わるとスライドカバー５のストッパー用の突起部31は本体筐体１のストッパー部21に当接して、それ以上スライドしないようにスライドカバー５の最大摺動範囲が規制される。
【００２４】
これを説明するために、図４（ａ）にロック用爪32ａと本体下ロック部７の係合状態を示した部分拡大図を示す。ここで本体下ロック部７に連接した平坦部８を設け、スライドカバーを取付ける位置決め用の丸い凹状のマーク23を設けている。図４（ｂ）は平坦部８に代えて、傾斜部８'を設けた場合を例示している。
【００２５】
また、図５は図１（ａ）の携帯電話装置のＡ−Ａ部における断面を図示している。本体筐体１のレール部20（図１（ｃ）参照）に沿うスライドカバー５の端縁には、内方向に屈曲するレール部30が設けられており、このレール部30が本体筐体１のレール部20と係合し、この係合状態を保ちながら、スライドカバー５は本体筐体１に対してスライドされる。
【００２６】
また、図６（ａ）は本体筐体１の長手方向に延びるストッパー部21の形状を拡大して図示した部分拡大側面図であり、図６（ｂ）は同部分拡大正面図である。このストッパー部21は、図６（ａ）の側面図のように、突出量が低い部分21ａとそれに連なる突出量が最も高い部分21ｂとを有している。
【００２７】
この突出量の少ない部分21ａはスライドカバー５のがたつきを防止する作用をする。すなわち、スライドカバー５を開く方向にスライドしたときには、スライドカバーのストッパ用の突起部31がこの突出量の少ない部分21ａに乗り上げ、本体筐体１のレール部20とスライドカバー５のレール部30の隙間が無くなり、スライドカバーのがたつきが除かれる。また、スライドカバーのストッパ用の突起部31が上記突出量が最も高い部分21ｂに当接すると、スライドカバーのそれ以上の移動が阻止される。
【００２８】
なお、上記突出量が最も高い部分21ｂの高さを高くかつ強固な形状にしておくと、スライド方向に強い力が加わった場合でもスライドカバー５が外れないようにすることができるが、一定の力が加わったときに上記突出量が最も高い部分21ｂをスライドカバー５に乗り越えさせて、スライドカバー５を外してしまい、本体筐体側のストッパー部21が壊れるのを避けることもできる。
【００２９】
図７（ａ）はスライドカバー５を開口状態にしたときの本体筐体１とスライドカバー５との係合関係をスライドカバーの一部を断面にして示した平面図である。図７（ａ）でスライドカバー５の左右一対のロック用爪32ａはそれぞれ本体筐体１の同じく左右一対の本体下ロック部７に嵌合している。このとき送話音孔４ａはスライドカバー５から露出している。なお、スライドカバーのＵ字状の切り込み部15の端面は上記送話音孔４ａの近傍に位置している。
【００３０】
図７（ｂ）は図７（ａ）のＢ−Ｂ断面図であり、スライドカバー５の前記Ｕ字状の切り込み部15の端面部は、上記送話音孔４ａに向けた斜面33になっている。このような位置関係はあたかも送話部の音孔４ａに向けてラッパ状の部材を配置したような形であり、送話者の音声はＶ矢印のように送話音孔４ａに向けて集音される。
【００３１】
また、本体筐体１の送話音孔４ａの周囲にはリブ14を本体筐体１の表面から突出させ、当該リブ14の上面をスライドカバー５の前記Ｕ字状の切り込み部15の端面部の底面に当接させている。そのためＷ矢印のように、本体筐体内の空隙を通して伝わってくる受話部からの音声は、前記当接しているリブ14とスライドカバーの前記Ｕ字状の切り込み部15の端面部でさえぎられ、送話部13の音孔４ａには到達しない。
【００３２】
なお、前記リブ14の高さは、本体筐体１の操作部のキーの高さおよび一般に５番のキーの周囲に突出して設けられている識別用ボス16の高さよりも高くしているので、スライドカバー５がスライドしても、操作部のどの部位にも衝突しないようにしている。
【００３３】
また、スライドカバー５の前記Ｕ字状の切り込み部15の端面部の斜面33は指が引っ掛かり易い位置にあるので、図２（ａ）、図２（ｂ）で示したように携帯電話装置を片手に持ったまま、例えば親指１本を上下動させることによってスライドカバー５を開口あるいは閉口することができる。
【００３４】
次に、スライドカバー５に左右方向の外力が加わった場合の状態について説明する。図７（ａ）でスライドカバー５の下方に外力Ｆが加わったとすると、スライドカバー５の下端は矢印ａ１の向きに移動しようとする。ここで、スライドカバー５のロック用爪32ａは本体筐体の本体下ロック部７に嵌合しているが、ロック用爪32ａの弾性力で本体下ロック部７を掴んでいるだけであり、外力Ｆが加わったとするとスライドカバー５は図の時計方向に回転し、スライドカバー５のストッパー部31が本体筐体１のストッパー部21ｂに当接することになる。
【００３５】
ストッパー部21ｂはスライドカバー５の動きを制止するので、スライドカバー５はストッパー部21と接する点を中心として回転する。そのため送話音孔４ａの近傍のスライドカバーの端面部は矢印ａ２の向きに回転し、送話音孔４ａを塞ぐ方向に移動する。またスライドカバーのロック用爪32ａは矢印ａ３のように回転する。
【００３６】
ところが、本体筐体１の本体下ロック部７には平坦部８が連接してあるので、前記スライドカバーのロック用爪32ａは矢印ａ３のように回転すればするほど、ロック用爪32ａがより高い平坦部８に乗り上げていく。
【００３７】
その結果、前記スライドカバーのロック用爪32ａの近傍では応力が増大し、その内部応力は前記スライドカバーのロック用爪32ａを平坦部８から本体下ロック部７に押し戻す復元力となる。もしこの状態で、スライドカバー５に加わっていた左右方向の外力が無くなると、前記復元力によってスライドカバーは反時計方向に回転し、ロック用爪32ａは乗り上げていた平坦部８から元へ戻って本体下ロック部７に当接する。そしてスライドカバー５から送話音孔４ａが露出していた元の姿に復元する。
【００３８】
図８（ａ）に前記スライドカバーのロック用爪32ａが本体下ロック部７に正常に嵌合している状態の部分拡大図を示し、図８（ｂ）にスライドカバー５に左右方向の外力が加わって矢印ａ３の向きに移動してにロック用爪32ａが本体筐体の本体下ロック部７から外れ平坦部８に乗り上げ始めたときの部分拡大図を示す。
【００３９】
なお、参考までに本発明の音孔閉塞防止手段としての、上記筐体の本体ロック部に連接する平坦部が設けられていなかったと仮定したときの想像図を図９に例示する。平坦部８がなければ、外力Ｆによってスライドカバー５のロック用爪32ａは矢印ａ３の向きに回転し、ロック部７の凹部から外れて、外れ防止用の半円形の突起を乗り越えてしまう。一旦乗り越えるとロック用爪32ａは元の状態に復元せず、送話部13の音孔４ａはスライドカバーに覆われてしまうことになる。図１０は図９の場合のロック爪32ａと本体下ロック部７の係合状態を例示した図である。
【００４０】
図９、図１０のように平坦部８がないと、スライドカバーを開口した後に、何らかの左右方向の外力が加わったとしたら、利用者の気付かないうちに送話音孔４ａがスライドカバーで閉塞され利用者の声が送話音孔４ａに正常に伝わらないというトラブルを生じることになるのであるが、本発明によれば、開口した後のスライドカバーに何らかの左右方向の外力が加わったとしても、送話音孔４ａがスライドカバーで閉塞されることが防止される。
【００４１】
【発明の効果】
以上のように本発明の請求項１に記載の発明は、キー操作部と受話部と送話部を有した筐体と、前記筐体のキー操作部を覆うスライドカバーとを備え、前記スライドカバーには、スライドカバーを閉口して閉口ロック状態にしたときに前記筐体の送話部の音孔と連通する孔を設けておくとともに、前記スライドカバーを開口して開口ロック状態にしたときには前記送話部の音孔が前記スライドカバーの外に露出するように構成し、前記スライドカバーの端面部に傾斜部を設け、前記傾斜部を前記スライドカバーを閉口ロック状態から開口するために引っ掛ける指の当接部または集音用の傾斜部として用いることを特徴とするものであり、これにより、携帯電話装置のスライドカバーを閉じた状態でも開いた状態でも通話を行なうことができ、また、スライドカバーを簡単に例えば指１本で開口しうるようにすることができ、スライドカバーを開口した状態で話者の声を送話部（マイク）により広く集音することができるという効果がある。
【００４５】
また、請求項２に記載の発明は、キー操作部と受話部と送話部を有した筐体と、前記筐体のキー操作部を覆うスライドカバーとを備え、前記スライドカバーには、スライドカバーを閉口して閉口ロック状態にしたときに前記筐体の送話部の音孔と連通する孔を設けておくとともに、前記スライドカバーを開口して開口ロック状態にしたときには前記送話部の音孔が前記スライドカバーの外に露出するように構成し、前記スライドカバーを開口して開口ロック状態にしたときには、露出した送話部の音孔の近傍に前記スライドカバーの端面が位置するよう構成して、前記スライドカバーの端面を集音壁として用い、前記筐体の送話部の音孔の周りにリブを設け、前記リブの上面を、前記スライドカバーを開口して開口ロック状態にしたときに前記スライドカバーの端面部の底面と接するよう構成したことを特徴とするものである。この構成により、携帯電話装置のスライドカバーを閉じた状態でも開いた状態でも通話を行なうことができ、また、スライドカバーを開口した状態で話者の声を送話部（マイク）に集音することができるという効果がある。さらに、受話部から筐体内の空隙を通って漏洩する受話音の廻り込みを防止することができるという効果がある。
【００４６】
また、請求項３に記載の発明は、請求項２に記載の携帯電話装置において、前記筐体の送話部の音孔の周りに設けたリブの高さを、前記筐体のキー操作部のキーやキーの近傍の突起を含むどの部位の高さよりも高くなるよう構成したことを特徴とするものであり、これにより、スライドカバーのスライド操作でキー操作部のどの部位とも接触しないようにすることができるという効果がある。
【００４７】
また、請求項４に記載の発明は、請求項１乃至請求項３のいずれか１項に記載の携帯電話装置において、前記スライドカバーを開口して開口ロック状態にさせたとき、前記スライドカバーに何らかの力が掛かって前記スライドカバーの開口ロック状態が外れた場合、前記スライドカバーに掛かる左右方向の応力での移動で前記送話部に設けられた音孔が塞がれないようにする音孔閉塞防止手段を設けたことを特徴とするものであり、これにより、スライドカバーに掛かる左右方向の応力での移動で前記送話部に設けられた音孔が塞がれないようにさせることができるという効果がある。
【００４８】
また、請求項５に記載の発明は、請求項４に記載の発明において、前記音孔閉塞防止手段として、前記筐体の本体ロック部に連接する平坦部と、前記スライドカバーを開口ロック状態にさせた位置で前記スライドカバーのスライド方向への動きを止めるストッパー部とを設け、前記スライドカバーに左右方向の外力が加わったときには、前記ストッパーを回転中心として前記スライドカバーが回転する動作をさせることにより、前記スライドカバーのロック部を前記平坦部に乗り上げさせて外力に対する復元力を付与し、外力がなくなったときには前記復元力により前記スライドカバーのロック部が乗り上げている前記平坦部から前記筐体の本体ロック部に当接する位置に移動して、外力が加わる前の状態に復元するようにして、前記送話部に設けられた音孔が塞がれないよう構成したことを特徴とするものであり、これにより、スライドカバーに掛かる左右方向の応力での移動で本体ロック部に復元させることができるという効果がある。
【図面の簡単な説明】
【図１】（ａ）本発明の実施の形態に係る携帯電話装置のスライドカバーを閉じた状態を示す正面図、
（ｂ）本発明の実施の形態に係る携帯電話装置のスライドカバーを開いた状態を示す正面図、
（ｃ）本発明の実施の形態に係る携帯電話装置の構成を示すスライドカバーを開いた状態を示す側面図、
【図２】（ａ）本発明の実施の形態に係る携帯電話装置のスライドカバーを指で閉口した状態を示す正面図、
（ｂ）本発明の実施の形態に係る携帯電話装置のスライドカバーを指で開口した状態を示す正面図
【図３】（ａ）本発明の実施の形態に係る携帯電話装置の分解斜視図、
（ｂ）本発明の実施の形態に係る携帯電話装置のスライドカバーの裏面図、
【図４】本発明の実施の形態に係る携帯電話装置のロック部の係合状態を示す拡大図、
【図５】本発明の実施の形態に係る携帯電話装置の断面図、
【図６】本発明の実施の形態に係る携帯電話装置の筐体本体のストッパー部の部分拡大図、
【図７】（ａ）本発明の実施の形態に係る携帯電話装置のスライドカバーを開口ロックした後に左右方向に外力が加わった状態を示す平面図、
（ｂ）本発明の実施の形態に係る携帯電話装置のスライドカバーを開口ロックした後に左右方向に外力が加わった状態を示す断面図、
【図８】（ａ）本発明の実施の形態のスライドカバーが開口ロックしたときのロック部の係合状態を示す部分拡大図、
（ｂ）スライドカバーを開口ロックした後に左右方向の外力が加わったときのロック部の移動状態を示す部分拡大図、
【図９】音孔閉塞手段としての平坦部８を設けなかったときの想像図、
【図１０】図９のロック部の係合状態を示す拡大図である。
【符号の説明】
１  本体筐体
２  キー操作部
３  受話部
4a  第１の送話音孔
4b  第２の送話音孔
５  スライドカバー
６  スライドカバーキー操作部
７  本体下ロック部
８  本体下ロック部平坦部
９  スライドカバーロック部
10  本体ロック部
11  上ケース
12  キーシート
13  送話器（マイク）
14  リブ
15  Ｕ字状切り込み部
【図１】
0004338847.tif 000002
【図２】
0004338847.tif 000003
【図３】
0004338847.tif 000004
【図４】
0004338847.tif 000005
【図５】
0004338847.tif 000006
【図６】
0004338847.tif 000007
【図７】
0004338847.tif 000008
【図８】
0004338847.tif 000009
【図９】
0004338847.tif 000010
【図１０】
0004338847.tif 000011